(57)【特許請求の範囲】
【請求項１】
冷凍サイクル内を状態変化しながら循環する冷媒の熱を利用して車室内の暖房を行うもので、前記冷凍サイクルにエンジン冷却水との熱交換によりコンプレッサ(2) に帰還する冷媒を加熱する室外エバポレータ(8) を設けてなるヒートポンプ式自動車用空気調和装置において、
前記室外エバポレータ(8) を流れるエンジン冷却水の流量を無段階に調整可能な流量調整手段(32)と、
前記コンプレッサ(2) から吐出される冷媒の温度を検出する吐出温度検出手段(54)と、
前記吐出温度検出手段(54)の出力に応じて前記流量調整手段(32)の開度を制御して前記室外エバポレータ(8) を流れるエンジン冷却水の流量を制限する制御手段(50)と、
を有することを特徴とするヒートポンプ式自動車用空気調和装置。
【発明の詳細な説明】
【０００１】
【発明の属する技術分野】
本発明は、エンジン冷却水（温水）により加熱された冷媒を利用して車室内の暖房を行うようにしたヒートポンプ式自動車用空気調和装置に関する。
【０００２】
【従来の技術】
例えば、最近の一部の高級車や比較的車室内空間が大きいワンボックスカーなどには、室内全体について快適な空調状態が得られるよう、車室内の前方領域（例えば、前席部分）はフロントユニットにより、後方領域（例えば、第２席、第３席などの後席部分）はリヤユニットによりそれぞれ独立に空気調和するデュアルカーエアコンと通称される自動車用空気調和装置が搭載されている。
【０００３】
この種の自動車用空気調和装置として、例えば、暖房運転時において、フロントユニットは、ヒータコアを設けて、エンジン冷却水を熱源として利用するが、リヤユニットは、サブコンデンサと称する室内熱交換器を設けて、コンプレッサにより圧縮された高温高圧の冷媒を熱源として利用するようにしたシステムがある。なお、この種の装置は、冷媒の循環過程（冷凍サイクル）において低温の外部空気から熱を汲み上げて車室内を暖房することから、ヒートポンプ式の自動車用空気調和装置と称されている。
【０００４】
ところが、この種の装置で暖房運転をする場合、例えば、冬季の朝のように外気温度が低いときには、起動時にエンジン冷却水の温度が低く、また、冷媒の温度の上昇速度も俊敏でないため、運転開始と同時に暖かい空気が吹き出されるような状態になりにくく、いわゆる即暖性が不十分となり、また、暖房性能も不足気味となるおそれがある。特に、ディーゼルエンジンを搭載した車室内空間の大きいワンボックスカーでは、通常のガソリンエンジン車と比べてエンジン冷却水の温度上昇が遅く、しかも広い空間を暖房しなければならないことから、即暖性、暖房性能ともに不足する傾向がある。さらに、最近では、排気ガス対策および省エネルギー対策として効率の良い直噴エンジン（ガソリン、ディーゼル）が開発中で、すでに一部は実用化されているところであるが、このような直噴エンジン搭載車の場合には、放熱量の低下に伴うエンジン冷却水の温度の低下（低水温化）によって、慢性的に暖房不足を来すおそれがある。
【０００５】
そこで、本願出願人は、サブエバポレータと称する室外熱交換器を設け、このサブエバポレータにおいてエンジン冷却水の熱を利用してコンプレッサへの帰還冷媒を加熱し、エンタルピーが増加したより高温の冷媒を用いて、より高い暖房性能を発揮するようにしたヒートポンプ式自動車用空気調和装置を提案した（例えば、特願平７−２７１６２１号参照）。さらに、この技術を前提として、エンジンの直噴化による低水温化に対応すべく、前後席ともヒートポンプシステムとした自動車用空気調和装置を提案した（例えば、特願平９−９０８５４号参照）。
【０００６】
なお、暖房不足といった上記の事情は、デュアルカーエアコンの場合に限られるわけではなく、一つのユニットのみを持った通常のシングルタイプのヒートポンプ式カーエアコンにも当てはまるため、サブエバポレータを備えたシングルタイプのヒートポンプ式自動車用空気調和装置についても現在開発されているところである。
【０００７】
【発明が解決しようとする課題】
このようなサブエバポレータを備えたヒートポンプ式自動車用空気調和装置においては、暖房運転安定時あるいは車両走行時にサイクル圧力が十分上昇すると、サブエバポレータへの温水流量を制御して、冷凍サイクルの保護を図るとともに吹出し温度を一定に維持するようにしている。このとき、コンプレッサの能力（仕事量）やエンジン冷却水の温度が上昇し過ぎると、コンプレッサ吐出圧力が上昇することがあり、信頼性の面からこれを防止する必要がある。
【０００８】
すなわち、コンプレッサ吐出圧力が上昇したときには、冷凍サイクル（特にコンプレッサ）を保護するため、その吐出圧力に応じてコンプレッサをＯＮ−ＯＦＦする制御が一般的に行われているところであり、上記したヒートポンプ式自動車用空気調和装置においても、吐出圧力上昇時のコンプレッサ保護の方策を講じておくべきであることは当然である。
【０００９】
そこで、この点につき、本願出願人は、従来から一般的に行われているコンプレッサのＯＮ−ＯＦＦ制御に加えて、このコンプレッサＯＮ−ＯＦＦ制御を行う前段階において、サブエバポレータ用のウォータバルブのＯＮ−ＯＦＦ制御を行う技術を提案した（特願平８−２３６６３７号参照）。これにより、コンプレッサのＯＮ−ＯＦＦ頻度が減少してドライバビリティーの向上と快適性の維持（吹出し温度の変化の抑制）とを図りつつ圧力上昇からコンプレッサを保護することが可能となる。
【００１０】
しかしながら、実験の結果、このようにサブエバポレータへの温水流量調整をウォータバルブのＯＮ−ＯＦＦのみの制御で行う場合には、サイクル圧力やサイクル温度の上昇が急激であり、瞬間的に所定の制御値そのものを超えてしまう場合（オーバーシュート状態）があることがわかった（図８の流量制限なしの領域参照）。したがって、信頼性のより一層の向上を図るためには、サイクル圧力やサイクル温度の上昇代を緩和してオーバーシュートをなくし、制御値を超えないようにすることが望まれる。
【００１１】
本発明は、本願出願人が現在開発中のヒートポンプ式自動車用空気調和装置における上記課題に着目してなされたものであり、信頼性のより一層の向上を図ることができるヒートポンプ式自動車用空気調和装置を提供することを目的とする。
【００１２】
【課題を解決するための手段】
上記目的を達成するため、請求項１記載の発明は、冷凍サイクル内を状態変化しながら循環する冷媒の熱を利用して車室内の暖房を行うもので、前記冷凍サイクルにエンジン冷却水との熱交換によりコンプレッサに帰還する冷媒を加熱する室外エバポレータを設けてなるヒートポンプ式自動車用空気調和装置において、前記室外エバポレータを流れるエンジン冷却水の流量を無段階に調整可能な流量調整手段と、前記コンプレッサから吐出される冷媒の温度を検出する吐出温度検出手段と、前記吐出温度検出手段の出力に応じて前記流量調整手段の開度を制御して前記室外エバポレータを流れるエンジン冷却水の流量を制限する制御手段とを有することを特徴とする。
【００１３】
この発明にあっては、吐出温度検出手段はコンプレッサから吐出される冷媒の温度（コンプレッサ吐出温度）を検出し、制御手段は、吐出温度検出手段の出力（コンプレッサ吐出温度）に応じて流量調整手段の開度を制御して、室外エバポレータを流れるエンジン冷却水（温水）の流量を制限する。例えば、コンプレッサ仕事量の増加などによりコンプレッサ吐出温度が上昇してサイクル圧力などが上がると、コンプレッサ吐出温度に応じて流量調整手段の開度が変化し、高温域では室外エバポレータへの温水流量が減少することになる。そして、室外エバポレータへの温水流量が少なくなると冷媒の温水からの吸熱量が減少し、サイクル圧力、サイクル温度の上昇が緩やかになるため、別途コンプレッサ吐出圧力などの制御値に基づく流量制御弁のＯＮ−ＯＦＦ制御があったとしても、これによるオーバーシュートが防止され、サイクル圧力などが制御値を超えないようになる。
【００１４】
【発明の実施の形態】
以下、図面を使って、本発明の実施の形態を説明する。
【００１５】
図１は本発明の一実施の形態に係るヒートポンプ式自動車用空気調和装置を示す概略構成図である。なお、ここでは、サブエバポレータと称する室外熱交換器を備えたヒートポンプ式のデュアルカーエアコンのうち、前後席ともに冷媒を利用して暖房を行うヒートポンプシステムを採用し（ただし、後席側については暖房のみ（除湿なし））、かつ、前席側についてはエンジン冷却水（温水）による暖房をも行いうるシステムを例示している。
【００１６】
この自動車用空気調和装置は、送風機（ブロア）により選択的に取り入れた車室内外の空気（内外気）を調和して車室内の前席および後席に向かってそれぞれ吹き出すフロントユニット１０とリヤユニット２０とを有する。
【００１７】
フロントユニット１０は、そのケーシング内に通風路１１が形成され、この通風路１１内には、白抜き矢印で示す空気の流れ方向の下流側から順に、エンジン１の冷却水（温水）を利用して取り入れ空気を加熱するヒータコア１２と、後述する冷凍サイクルを構成する室内コンデンサとしてのフロントサブコンデンサ１３と、同じく冷凍サイクルを構成する通常のエバポレータ１４と、前記送風機１５とが配設されている。なお、図示しないが、より詳細には、フロントユニット１０は、上流側から順に、インテークユニット、クーリングユニット、およびヒータユニットからなり、インテークユニットにはインテークドアと送風機１５が配置され、クーリングユニットにはエバポレータ１４が配置され、ヒータユニットにはフロントサブコンデンサ１３とエアミックスドア１６とヒータコア１２が配置されている。エアミックスドア１６は、ヒータコア１２の前面に回動自在に設けられ、ヒータコア１２を通過する空気とこれを迂回する空気との割合を調節してヒータコア１２の下流域で所望温度の空気を作ったり、あるいはヒータコア１２に空気が流通しないようにしている。また、ヒータユニットのヒータコア１２下流側には、エアミックス後の温度調節された空気を車室内の前席に向かって吹き出すための各種吹出口が形成されている。
【００１８】
一方、リヤユニット２０は、そのケーシング内に通風路２１が形成され、この通風路２１内には、白抜き矢印で示す空気の流れ方向の下流側から順に、冷凍サイクルを構成するリヤサブコンデンサ２２と、前記送風機２３とが配設されている。リヤサブコンデンサ２２は、当該冷凍サイクルの回路において、直列に接続されたフロントサブコンデンサ１３およびエバポレータ１４と並列に接続されている。なお、図示しないが、より詳細には、リヤユニット２０は、上流側から順に、インテークユニットおよびヒータユニットからなり、インテークユニットにはインテークドアと送風機２３が配置され、ヒータユニットにはリヤサブコンデンサ２２が配置されている。ヒータユニットのサブコンデンサ２２下流側には、加熱された空気を車室内の後席に向かって吹き出すための所定の吹出口が形成されている。本実施の形態では、リヤユニット２０は前述のごとく暖房のみ（除湿なし）のシステムであるため、エバポレータやエアミックスドアは削除されている。
【００１９】
これら両ユニット１０、２０の外部には、エンジン１により図示しないベルトを介して回転駆動されるコンプレッサ２と、メインコンデンサ３とが配設されている。冷凍サイクルは、これらコンプレッサ２とメインコンデンサ３、ならびに上記のフロントサブコンデンサ１３、エバポレータ１４、およびリヤサブコンデンサ２２を、配管により、フロント用のオリフィス付き電磁弁１６、ならびにリヤ用のリキッドタンク２４およびオリフィス付き電磁弁２５と連結し、その中に冷媒を封入して構成されている。オリフィス付き電磁弁１６、２５は、開閉弁としての電磁弁に冷媒膨脹用のオリフィス（例えば、 φ１.４５）を内蔵したものである。
【００２０】
メインコンデンサ３の入口側には回路切換弁としての四方弁４が設けられている。この四方弁４は、密閉ケースに一つの入口ポートと三つの出口ポートを設けるとともに、同ケース内に前記三つの出口ポートのうち二つの出口ポートを連通するスライド部材を設け、このスライド部材によって選択された出口ポート以外の出口ポートが入口ポートと連通するように構成されている。したがって、スライド部材の位置によって入口ポートと連通される出口ポートが選択されることになる。ここでは、四方弁４の入口ポートはコンプレッサ２の吐出側と接続され、四方弁４の三つの出力ポートは、それぞれ、メインコンデンサ３の入口、コンプレッサ２の吸入側（冷媒回収通路５）、メインコンデンサ３の出口（バイパス通路６）と接続されている。この四方弁４により、フロント側に関しては、コンプレッサ２から吐出された冷媒をメインコンデンサ３に導く冷房運転用冷媒回路（以下単に「冷房用回路」という）と、コンプレッサ２から吐出された冷媒をメインコンデンサ３のバイパス通路６に導く暖房運転用冷媒回路（以下単に「暖房用回路」という）とが切り換えられる。なお、図１では、暖房運転時の四方弁４の状態を示している。
【００２１】
また、前記両ユニット１０、２０の外部には、ヒートポンプによる暖房性能を高めるため、コンプレッサ２の吸入側と、フロント側とリヤ側との合流点７との間の低圧側冷媒通路に、室外エバポレータ（室外熱交換器）として機能するサブエバポレータ８を設けている。このサブエバポレータ８は、内部を流通する冷媒をエンジン冷却水（温水）との熱交換により加熱する機能を有しており、いわば温水−冷媒熱交換器ともいうべきものである。
【００２２】
このようなサブエバポレータ８を設けることで、たとえ低温のため空気と熱交換してもただちに暖房用として使用できないエンジン冷却水であっても、当該サブエバポレータ８において流入した冷媒と熱交換させることにより、その冷媒はエンジン冷却水が保有する熱を有効に取り込んで加熱された（つまり、エンタルピーが増加した）後、コンプレッサ２に帰還し、再度コンプレッサ２で圧縮、加圧されることになるので、コンプレッサ２から吐出される冷媒はより高温の冷媒となって、サブコンデンサ１３、２２に供給されることになる。その結果、サブコンデンサ１３、２２の放熱性能が高まり、そこで熱交換された空気はより高温となるため、より高い暖房性能が発揮され、即暖性も向上することになる。
【００２３】
また、サブエバポレータ８とコンプレッサ２との間には、上記のごとく通常の温度式膨脹弁に代えて冷媒流量調整機能を持たないオリフィス付き電磁弁１６を採用した関係で、余剰冷媒の貯溜と気液の分離を行いガス冷媒のみをコンプレッサ２に戻すためのアキュムレータ９が設けられている。アキュムレータ９は、冷媒を貯溜する比較的容量のある容器であるため、仮に冷媒が液状態で帰還してきても、これを気化してコンプレッサ２に戻すことができ、液圧縮によるコンプレッサ２の破損を防止することができる。
【００２４】
暖房運転時、コンプレッサ２から吐出された冷媒は、通常、次の暖房用回路を通ってフロントユニット１０側とリヤユニット２０側の双方に流れる。このとき、フロントユニット１０側とリヤユニット２０側にそれぞれ冷媒を導くための二つの電磁弁１６、２５はどちらも開いた状態にある。すなわち、暖房運転時、コンプレッサ２から出た冷媒は、四方弁４→バイパス通路６と流れてここからフロントユニット１０側とリヤユニット２０側とに分岐して流れた後、サブエバポレータ８の入口（合流点７）で合流して、コンプレッサ２に帰還する。より具体的には、前者においては、バイパス通路６を流れた冷媒は、フロントサブコンデンサ１３→オリフィス（付き電磁弁）１６→エバポレータ１４と流れた後、サブエバポレータ８→アキュムレータ９と流れて、コンプレッサ２に帰還する。また、後者においては、バイパス通路６を流れた冷媒は、リヤサブコンデンサ２２→リキッドタンク２４→オリフィス（付き電磁弁）２５と流れた後、サブエバポレータ８→アキュムレータ９と流れて、コンプレッサ２に帰還する。なお、後席を暖房しない場合には、電磁弁２５は閉じておく。
【００２５】
一方、冷房運転時、コンプレッサ２から吐出された冷媒は、通常、次の冷房用回路を通ってフロントユニット１０側のみに流れる。このとき、リヤユニット２０側の電磁弁２５は閉じた状態にある。すなわち、冷房運転時、コンプレッサ２から出た冷媒は、四方弁４→メインコンデンサ３→フロントサブコンデンサ１３→オリフィス（付き電磁弁）１６→エバポレータ１４→サブエバポレータ８→アキュムレータ９と流れて、コンプレッサ２に帰還する。
【００２６】
また、ヒータコア１２の温水入口には、電磁操作式の温水バルブ３１が設けられ、この温水バルブ３１を開くことによって、エンジン１から流出した温水がヒータコア１２へ導入されるようになっている。
【００２７】
一方、図２にも示すように、サブエバポレータ８の温水入口には、流量調整手段として機能する流量制御アクチュエータ３２が設けられている。この流量制御アクチュエータ３２は、例えば、電気信号により開度調節可能なウォータバルブであって、サブエバポレータ８を流れる温水流量を無段階に調整しうるものである。暖房運転時においてサブエバポレータ８を作動させる場合には、流量制御アクチュエータ３２を開いて、エンジン１から流出した温水をサブエバポレータ８に導入する。その際、サブエバポレータ８を流れる温水流量は、流量制御アクチュエータ３２の開度を制御することによって調整される。本発明では、流量制御アクチュエータ３２の開度は、コンプレッサ吐出温度（Ｔd ）に応じて制御されるようになっている。
【００２８】
図３はコンプレッサ吐出温度に対する流量制御アクチュエータ３２の開度の制御特性図であり、図４はコンプレッサ吐出温度に対するサブエバポレータ８への温水流量の制御特性図である。ここでは、コンプレッサ吐出温度が所定値Ｔ1 （例えば、９０℃）以下のときには、流量制御アクチュエータ３２の開度を全開状態にして（図３参照）、サブエバポレータ８を流れる温水の流量を制限せず（図４参照）、その状態からコンプレッサ吐出温度が上昇するにつれて流量制御アクチュエータ３２の開度を小さくして（図３参照）、サブエバポレータ８を流れる温水の流量を制限する（図４参照）。そして、コンプレッサ吐出温度が所定値Ｔ2 （例えば、１１０℃）以上になると、流量制御アクチュエータ３２の開度を全閉状態にして（図３参照）、サブエバポレータ８に温水が流れないようにしている。
【００２９】
なお、参考までに従来のコンプレッサ吐出温度に対するサブエバポレータ８への温水流量特性を示すと、図９のとおりである。これによると、従来は、コンプレッサ吐出温度が高くなるほどサブエバポレータ８への温水流量が多くなっている。これは、サブエバポレータ８用のウォータバルブがＯＮ−ＯＦＦのみの制御であり、ウォータバルブをＯＮ（全開）した状態では、コンプレッサ吐出温度が高くなるほど（つまり、コンプレッサ仕事量が大きくなるほど）コンプレッサ回転数、つまりエンジン回転数が高い傾向にあるため、エンジン１から流出する温水流量が増大するからである。
【００３０】
また、上記構成の冷媒回路の高圧側には、コンプレッサ２の吐出圧力（Ｐd ）と吐出温度（Ｔd ）を検出するための吐出圧力検出手段と吐出温度検出手段がそれぞれ設けられている。吐出圧力検出手段は、例えば、ダイヤフラムを内蔵した圧力スイッチ、または、検出した圧力を電圧値に変換する圧力トランスデューサ（圧力センサ）で構成され（以下「吐出圧力センサ」という）、吐出温度検出手段は、検出した温度を電圧値に変換する温度センサなどで構成されている（以下「吐出温度センサ」という）。この吐出温度センサは、例えば、コンプレッサ２に設置されている。なお、後述するように、コンプレッサ２の吐出圧力や吐出温度が上昇すると、コンプレッサ２を保護するため、各検出値に応じて、コンプレッサ２の吐出圧力や吐出温度を下げるための各種制御が行われるようになっている。
【００３１】
なお、上記したように四方弁４の出口側（出口ポートの１つ）とコンプレッサ２の吸入側との間には冷媒回収通路５が設けられているが、この冷媒回収通路５は、外気温度が低く、エンジン冷却水をただちに暖房用熱源として使用できない場合に、メインコンデンサ３などに滞留しているいわゆる寝込み冷媒をコンプレッサ２に戻し、多量の冷媒を用いて性能の高い暖房ができるようにするためのものである。
【００３２】
また、図１中、４０はメインコンデンサ３を冷却するための電動ファンであり、４１、４２、４３、４４、４５はそれぞれ反対方向の流れを阻止するための逆止弁である。
【００３３】
次に、作用を説明する。なお、ここでは、本発明が適用される暖房運転時の作用についてのみ説明する。
【００３４】
暖房運転初期
暖房運転開始時に外気温度が低い場合には、エンジン冷却水の温度も低く、これをただちに暖房用として使用することはできない（ヒータコア１２の場合）。また、冷媒もメインコンデンサ３などの内部に寝込んでおり、コンプレッサ２にはあまり存在していない。この状態で前後席を暖房する場合には、例えば、温水バルブ３１をＯＦＦ状態、流量制御アクチュエータ３２を全開状態、二つの電磁弁１６、２５をともに開状態、四方弁４を図１に示す状態にそれぞれ設定する。また、エアミックスドア１６は、空気がヒータコア１２を通過しないよう、全閉位置Ａに設定する。
【００３５】
この状態でコンプレッサ２をＯＮすると、主としてメインコンデンサ３の内部に寝込んでいる冷媒が、四方弁４および冷媒回収通路５を通ってコンプレッサ２の吸入側に導かれ、回収される。
【００３６】
これにより、コンプレッサ２は多量の冷媒を吐出しうる運転状態となり、コンプレッサ２から吐出された高温高圧の冷媒は、四方弁４→バイパス通路６と流れた後、分岐して、一部はフロントサブコンデンサ１３→オリフィス（付き電磁弁）１６→エバポレータ１４とフロントユニット１０側を流れ、一部はリヤサブコンデンサ２２→リキッドタンク２４→オリフィス（付き電磁弁）２５とリヤユニット２０側を流れて、合流点７で合流して、サブエバポレータ８→アキュムレータ９と流れて、コンプレッサ２に帰還する。この循環過程において、サブエバポレータ８に流入した低温低圧の冷媒は、エンジン冷却水との熱交換により加熱され、より高温となってコンプレッサ２に吸入され、再度圧縮される。これにより、コンプレッサ２に帰還し再度圧縮された冷媒は、エンタルピーが増加して（つまり、サイクルバランスが上昇して）より高温高圧となって吐出されることになる。サブコンデンサ１３、２２の暖房能力（放熱性能）は冷媒の温度に関係するため、このように吐出冷媒の温度が上昇することで、より高い暖房性能が発揮されることになる。また、このような傾向は時間の経過につれて増幅されることから、このようにエンジン冷却水からの熱の回収をいわばトリガーとすることで冷媒温度の迅速かつ効率的な上昇が可能となり、いわゆる即暖性も大幅に向上することになる。
【００３７】
このとき、フロントユニット１０内に取り込まれた空気は、エバポレータ１４で除湿（冷房）され、さらにフロントサブコンデンサ１３で加熱された後、流下し、所定の吹出口から車室内に吹き出される。これにより、除湿した空気を加熱する除湿暖房が実現される。また、リヤユニット２０内に取り込まれた空気は、リヤサブコンデンサ２２で加熱された後、流下し、所定の吹出口から車室内に吹き出され、暖房（除湿なし）が実現される。
【００３８】
なお、暖房運転初期においても、例えば、急加速時などにアクセルを踏み込むなどしてエンジン１の回数数、したがってコンプレッサ２の回転数が急激に増大し、コンプレッサ１の吐出圧力が急上昇することがありうるので、コンプレッサ２保護のため、コンプレッサ２の吐出圧力を下げるための制御を行う必要があるが、このことは安定時においても同様であるため、次でまとめて説明することにする。
【００３９】
暖房運転安定時
エンジン冷却水の温度がある程度上昇し、車室内の温度もある程度上昇すると、吹出し温度を一定に保つよう、サブエバポレータ８への温水流量を制御する。本案では、上記のように、流量制御アクチュエータ３２の開度を制御することで、サブエバポレータ８を流れる温水流量を制御する。
【００４０】
すなわち、温水安定時には、サブエバポレータ８を流れる温水流量が増大すると、コンプレッサ２の吐出圧力・温度が上昇して、吹出し温度が高くなる。この原理はすでに説明したとおりであって、サブエバポレータ８に流れる温水流量が増大すると、冷媒との熱交換量が増加するため、サブエバポレータ８出口の冷媒温度が上昇して、コンプレッサ２に吸入される冷媒温度が上昇し、この吸入冷媒温度の上昇に伴ってコンプレッサ２の吐出圧力・温度が増大する。これにより、サブコンデンサ１３、２２での放熱能力が高まり、吹出し温度が上昇する。逆に、サブエバポレータ８を流れる温水流量が減少すると、冷媒との熱交換量が減少するため、コンプレッサ２の吐出圧力・温度が下がり、吹出し温度が低下する。したがって、サブエバポレータ８への温水流量を制御することにより、具体的には、吹出し温度が低過ぎる場合にはサブエバポレータ８への温水流量を増加させ、吹出し温度が高過ぎる場合にはサブエバポレータ８への温水流量を減少させることにより、吹出し温度を一定（の範囲内）に維持することができる。
【００４１】
また、コンプレッサ２の吐出圧力（温度）が上昇したときの保護対策として、本案では、コンプレッサ２の吐出圧力・温度に応じてコンプレッサ２のＯＮ−ＯＦＦ制御と流量制御アクチュエータ３２のＯＮ−ＯＦＦ制御を行う。
【００４２】
コンプレッサ２のＯＮ−ＯＦＦ制御は、例えば、図５に示す制御特性に基づいて行われる。すなわち、コンプレッサ２は、ＯＮ状態において吐出圧力（Ｐd ）が２３kg/cm2Ｇ以上に上昇するか（同図（Ａ）参照）または吐出温度（Ｔd ）が１２０℃以上に上がると（同図（Ｂ）参照）、ＯＦＦされ、ＯＦＦ状態において吐出圧力が２０kg/cm2Ｇ以下に下降するか（同図（Ａ）参照）または吐出温度が９０℃以下に下がると（同図（Ｂ）参照）、ＯＮ状態に戻る。
【００４３】
流量制御アクチュエータ３２のＯＮ−ＯＦＦ制御は、例えば、図６に示す制御特性に基づいて行われる。すなわち、流量制御アクチュエータ３２は、吐出圧力（Ｐd ）が２０kg/cm2Ｇ以上に上昇するか（同図（Ａ）参照）または吐出温度（Ｔd ）が１１０℃以上に上がると（同図（Ｂ）参照）、全閉状態となり（ＯＦＦ）、このＯＦＦ状態において吐出圧力が１７kg/cm2Ｇ以下に下降するか（同図（Ａ）参照）または吐出温度が９０℃以下に下がると（同図（Ｂ）参照）、開いた（ＯＮ）状態に戻る。このＯＮ状態において流量制御アクチュエータ３２がどの程度開いているかは、吐出温度による。流量制御アクチュエータ３２を閉じるとサブエバポレータ８での熱交換がなくなるため、コンプレッサ２に吸入される冷媒の温度が下がり、コンプレッサ２の吐出圧力と吐出温度が低下することになる。なお、ここでは、流量制御アクチュエータ３２のＯＮ−ＯＦＦ制御をコンプレッサ２のＯＮ−ＯＦＦ制御を行う前の段階でするようにしているが、これは、前述のように、コンプレッサ２のＯＮ−ＯＦＦの頻度を少なくしてコンプレッサ２のＯＮ−ＯＦＦによるドライバビリティーの低下などを防止するためである。
【００４４】
さらに、本発明では、流量制御アクチュエータ３２のＯＮ−ＯＦＦ制御に伴う不具合、具体的には、前述したごとく、流量制御アクチュエータ３２のＯＮ−ＯＦＦ制御のみではサイクル圧力・温度の上昇が急激であり、瞬間的に制御値を超えてしまう場合（オーバーシュート）があるという不具合を解消するため、車速度に応じてサブエバポレータ８への温水流量を制限するようにしている。
【００４５】
図７はかかるシステムのブロック図である。なお、ここでは、上記したコンプレッサ２および流量制御アクチュエータ３２のＯＮ−ＯＦＦ制御の回路も示してある。
【００４６】
制御手段として機能するオートアンプ５０はマイコンを内蔵しており、その入力側にはシステムスイッチ５１、エアコンスイッチ５２、吐出圧力検出手段としての吐出圧力センサ５３、および吐出温度検出手段としての吐出温度センサ５４が接続され、その出力側にはコンプレッサ２（のマグネットクラッチ）および流量制御アクチュエータ３２が接続されている。システムスイッチ５１は、サブエバポレータ８を用いた暖房システムを作動させるための操作スイッチであり、エアコンスイッチ５２は、サブエバポレータ８を使用しない通常の冷暖房システムとして作動させるための操作スイッチである。オートアンプ５０は、システムスイッチ５１がＯＮでかつエアコンスイッチ５２がＯＦＦであるとき、サブエバポレータ８を用いた暖房システムを作動させ、その中で、コンプレッサ２および流量制御アクチュエータ３２のＯＮ−ＯＦＦ制御、ならびに本発明に係るコンプレッサ吐出温度によるサブエバポレータ８への温水流量制限を行う。なお、サブエバポレータ８を用いた暖房システム、ならびにコンプレッサ２および流量制御アクチュエータ３２のＯＮ−ＯＦＦ制御についてはすでに説明してあるので、以下では、コンプレッサ吐出温度によるサブエバポレータ８への温水流量制限についてのみ説明する。
【００４７】
オートアンプ５０の内蔵メモリ５５には、図３に示すような制御特性データが記憶されている。この制御特性データは、コンプレッサ吐出温度に対する流量制御アクチュエータ３２の開度の指令データである。この場合、上記のように、コンプレッサ吐出温度が所定値Ｔ1 （９０℃）以下のときには、流量制御アクチュエータ３２を全開にしてサブエバポレータ８への温水流量を最大にし、所定値Ｔ2 （１１０℃）以上のときには、流量制御アクチュエータ３２を全閉にしてサブエバポレータ８への温水流量をゼロにし、Ｔ1 以上Ｔ2 以下のときには、コンプレッサ吐出温度に応じて流量制御アクチュエータ３２の開度を小さくしていきサブエバポレータ８への温水流量を徐々に減少させる（図４参照）。
【００４８】
すなわち、コンプレッサ吐出温度が所定値Ｔ1 （９０℃）以下のときにはサブエバポレータ８への温水流量を制限せず（つまり、最大）、流量制御アクチュエータ３２のＯＮ−ＯＦＦ制御によってサイクル圧力・温度などを制御する。そして、コンプレッサ回転数（エンジン回転数）の増加などによりコンプレッサ２の仕事量が増大するなどしてコンプレッサ吐出温度が上昇してサイクル圧力・温度が上がると、コンプレッサ吐出温度に応じて流量制御アクチュエータ３２の開度が変化し、高温域ではサブエバポレータ８への温水流量が減少することになる。このようにサブエバポレータ８への温水流量が少なくなると冷媒の温水からの吸熱量が減少し、図８の流量制限ありの部分に示すように、サイクル圧力、サイクル温度の上昇が緩やかになるため、流量制御アクチュエータ３２のＯＮ−ＯＦＦ制御によるオーバーシュートが防止され、サイクル圧力などが制御値ｐを超えないようになる。よって、信頼性が向上する。また、図８の同部分に示すように、サイクル圧力・温度の変動が上下の制御値ｐとｑの間に収まるようになり、吹出し温度の変動幅（ディファレンシャル）の最適化が可能となる。
【００４９】
なお、図８において、例えば、サイクル圧力をコンプレッサ吐出圧力（Ｐd ）とすれば、上限の制御値ｐの値は２０kg/cm2Ｇで、下限の制御値ｑの値は１７kg/cm2Ｇとなる（図６（Ａ）参照）。また、サイクル温度をコンプレッサ吐出温度（Ｔd ）とすれば、上限の制御値ｐの値は１００℃で、下限の制御値ｑの値は８０℃となる（図６（Ｂ）参照）。また、これら以外に、サイクル温度としてコンプレッサ２入口での過熱度（スーパーヒート）などを考慮することも可能である。
【００５０】
なお、上記した実施の形態では、後席側について暖房のみ（除湿なし）としたシステムを示したが、これに限定されるわけではなく、フロントユニット１０と同様リヤユニット２０内にもエバポレータを設けて除湿暖房を可能としたシステムでもよい。
【００５１】
また、上記した実施の形態では、前後席をともに暖房しうるデュアルカーエアコンを例にとって説明したが、これに限定されるわけではなく、本発明は、サブエバポレータを備えたヒートポンプ式の自動車用空気調和装置であれば、シングルタイプのヒートポンプシステムを含むどのようなタイプのものにでも適用可能である。したがって、上記した実施の形態のように一つのユニット内に暖房熱源としてサブコンデンサとヒータコアの両方を備えることは、必ずしも必要ではない。
【００５２】
【発明の効果】
以上述べたように、請求項１記載の発明によれば、コンプレッサ吐出温度が高くなると室外エバポレータへの温水流量を制限するので、サイクル圧力、サイクル温度の上昇が緩やかになり、オーバーシュートをしなくなるため、サイクル圧力などが制御値を超えないようになり、信頼性が向上する。
【図面の簡単な説明】
【図１】  本発明の一実施の形態に係るヒートポンプ式自動車用空気調和装置を示す概略構成図である。
【図２】  サブエバポレータの回路構成を示す概略図である。
【図３】  コンプレッサ吐出温度に対する流量制御アクチュエータの開度の制御特性図である。
【図４】  コンプレッサ吐出温度に対するサブエバポレータを流れる温水流量の制御特性図である。
【図５】  コンプレッサＯＮ−ＯＦＦ制御の制御特性図である。
【図６】  流量制御アクチュエータＯＮ−ＯＦＦ制御の制御特性図である。
【図７】  コンプレッサ吐出温度に応じてサブエバポレータへの温水流量制限を行うシステムの制御ブロック図である。
【図８】  図６のシステムの作用効果の説明に供する図である。
【図９】  従来のコンプレッサ吐出温度に対するサブエバポレータを流れる温水流量の特性図である。
【符号の説明】
１…エンジン
２…コンプレッサ
８…サブエバポレータ（室外エバポレータ）
１０…フロントユニット
１２…ヒータコア
１３…フロントサブコンデンサ（室内コンデンサ）
１４…エバポレータ
２０…リヤユニット
２２…リヤサブコンデンサ
３２…流量制御アクチュエータ（流量調整手段）
５０…オートアンプ（制御手段）
５４…吐出温度センサ（吐出温度検出手段）
【図１】
0003793326.tif 000002
【図２】
0003793326.tif 000003
【図３】
0003793326.tif 000004
【図４】
0003793326.tif 000005
【図５】
0003793326.tif 000006
【図６】
0003793326.tif 000007
【図７】
0003793326.tif 000008
【図８】
0003793326.tif 000009
【図９】
0003793326.tif 000010